(57)【要約】【課題】互いに離れた場所にいるユーザ間において、一方が他方に代わって他方の受信装置を遠隔操作することができる放送システム、及びそれに用いられる受信装置を提供する。【解決手段】放送信号を送信するケーブルテレビ用の放送装置１と、放送信号を受信し、これを映像信号及び音声信号に復元してＴＶに出力する複数の受信装置１０〜（ｎ×１０）とを備える放送システムを用いる。複数の受信装置１０〜（ｎ×１０）それぞれは、自己以外の別の受信装置に対する遠隔操作が外部から求められると、別の受信装置に対して遠隔操作の許可を求める遠隔操作信号を、放送装置１に向けて送信する。放送装置１は、遠隔操作信号を受信すると、それから別の受信装置を特定し、特定した別の受信装置に向けて遠隔操作信号を送信する。別の受信装置は、遠隔操作信号を受信し、且つ、遠隔操作を受け入れる場合は、遠隔操作信号を送信した受信装置による遠隔操作を受け入れる。【選択図】図１
2008067082.tif 000002
【特許請求の範囲】
【請求項１】
放送信号を送信する放送装置と、前記放送信号を受信し、これを映像信号及び音声信号に復元してテレビジョン受像機に出力する複数の受信装置とを備える放送システムであって、
前記複数の受信装置それぞれは、当該受信装置以外の別の受信装置に対する遠隔操作が外部から求められると、前記別の受信装置に対して遠隔操作の許可を求める遠隔操作信号を、前記放送装置に向けて送信し、
前記放送装置は、前記遠隔操作信号を受信すると、前記別の受信装置を特定し、特定した前記別の受信装置に向けて前記遠隔操作信号を送信し、
前記別の受信装置は、前記遠隔操作信号を受信し、且つ、前記遠隔操作を受け入れる場合は、前記遠隔操作信号を送信した受信装置によって遠隔操作されることを特徴とする放送システム。
【請求項２】
前記放送装置は、前記遠隔操作信号を送信した受信装置と前記別の受信装置との組合せが前記放送装置において予め登録された組合せであるかどうかを判定し、登録されている場合にのみ、前記別の受信装置に向けて前記遠隔操作信号を送信する請求項１に記載の放送システム。
【請求項３】
前記別の受信装置は、それにおいて予め登録された受信装置から前記遠隔操作信号が送信されたときに、前記遠隔操作を受け入れる請求項１に記載に放送システム。
【請求項４】
前記別の受信装置は、前記遠隔操作信号を受信し、且つ、前記遠隔操作を受け入れる場合は、自己の状態を特定するステータス情報を、前記放送装置を経由して、前記遠隔操作信号を送信した受信装置に送信し、
前記遠隔操作信号を送信した受信装置は、前記ステータス情報を受信すると、前記ステータス情報に基づいて、前記別の受信装置がテレビジョン受像機に出力している映像信号及び音声信号と同じ信号を、前記遠隔操作信号を送信した受信装置に接続されたテレビジョン受像機に出力する請求項１に記載の放送システム。
【請求項５】
前記遠隔操作信号を送信した受信装置によって許可が求められる遠隔操作が、チャンネルの切り替え、及び番組の視聴予約のうちの少なくとも一つである請求項１に記載の放送システム。
【請求項６】
前記ステータス情報が、前記別の受信装置が選択しているチャンネル、前記別の受信装置によって視聴可能なチャンネル、及び前記別の受信装置によって視聴予約されているチャンネルのうちの少なくとも一つを特定している請求項４に記載の放送システム。
【請求項７】
放送装置が送信する放送信号を受信する受信装置であって、
前記放送信号を受信し、これを映像信号及び音声信号に復元してテレビジョン受像機に出力する映像受信部と、遠隔操作処理部とを備え、
前記遠隔操作処理部は、
前記放送装置の前記放送信号を受信する別の受信装置に対する遠隔操作が外部から求められた場合は、前記別の受信装置に対して遠隔操作の許可を求める遠隔操作信号を、前記放送装置に向けて送信し、
前記別の受信装置が当該受信装置を遠隔操作するために前記放送装置に前記遠隔操作信号を送信し、そして前記放送装置が前記遠隔操作信号を当該受信装置に送信した場合は、前記別の受信装置が当該受信装置において予め登録されていることを条件として、前記別の受信装置による遠隔操作を受け入れ、
前記映像受信部は、前記遠隔操作処理部が前記別の受信装置による遠隔操作を受け入れた場合は、前記別の受信装置の指示に応じて、動作することを特徴とする受信装置。
【請求項８】
複数の受信装置に放送信号を送信する放送装置であって、
前記複数の受信装置のいずれかが、当該受信装置以外の別の受信装置を遠隔操作するために、当該放送装置に向けて、前記別の受信装置に対して遠隔操作の許可を求める遠隔操作信号を送信する場合において、
前記遠隔操作信号から前記別の受信装置を特定し、前記遠隔操作信号を送信した受信装置と前記別の受信装置との組合せが当該放送装置において予め登録されているかどうかを判定し、登録されている場合にのみ、前記別の受信装置に向けて前記遠隔操作信号を送信することを特徴とする放送装置。
【発明の詳細な説明】
【技術分野】
【０００１】
本発明は、ケーブルテレビ等のテレビジョン放送に用いられる放送システム、それに利用される受信装置及び放送装置に関する。
【背景技術】
【０００２】
近年、テレビジョン放送を視聴する視聴者のニーズは多種多様化している。そのため、多種多様なニーズに合わせて多数のチャンネルを提供するケーブルテレビ（以下、「ＣＡＴＶ：Common Antenna Television 」という。）が注目を集めており、その加入者数は年々増加している。
【０００３】
ＣＡＴＶは、次のようにして行われる（例えば、特許文献１参照。）。先ず、ＣＡＴＶ局は、地上波放送、ＣＳ放送、ＢＳ放送等を受信する。次に、ＣＡＴＶ局は、受信した信号をサービスエリア内の契約ユーザ宅に再送出する。ユーザ宅には、セットトップボックス（以下「ＳＴＢ」という。）と呼ばれる受信装置が配置されており、ＣＡＴＶからの信号はＳＴＢによって受信される。
【０００４】
次に、ＳＴＢは、受信した放送信号を映像信号と音声信号とに復元し、これらを、ＳＴＢに接続されたテレビジョン受像機（ＴＶ）に出力する。また、ユーザによるＳＴＢのリモートコントローラの操作により、ＣＡＴＶが提供する多数のチャンネル（地上波／ＣＳ／ＢＳ）から番組が選択される。この結果、ユーザは、テレビジョン受像機を介して、選択した番組を楽しむことができる。
【０００５】
更に、近年、ＣＡＴＶにおいては、ユーザとＣＡＴＶ局との間での送受信を可能とする双方向サービスが提供されている。双方向サービスによれば、ユーザは、視聴した番組に対してのみ料金が請求されるＰＰＶ（Pay Per View）や、ユーザの要求に応じて映像が配信されるＶＯＤ（Video On Demand）といったサービスを受けることができる。また、双方向サービスによれば、ＣＡＴＶ局は、視聴率調査、視聴者からのアンケートの集計を行うことができる。
【特許文献１】国際公開第２００３／０４５０５９号パンフレット
【発明の開示】
【発明が解決しようとする課題】
【０００６】
しかしながら、このような双方サービスや、多チャンネル化により、ＳＴＢのリモートコントローラのボタン数は増加し、その操作は非常に複雑になっている。このため、機器の操作に不慣れなユーザ（例えば、年配者等）において、リモートコントローラは使いづらいものとなっており、希望する番組の視聴が困難になっている。このことは、機器の操作に不慣れなユーザの加入の妨げにもなっている。
【０００７】
また、ケーブルテレビ局は、ユーザが電話や電子メールによって問い合わせできるようにすることでユーザサポートを行っているが、このようなユーザサポートは、機器の操作に不慣れなユーザに対しては十分ではない。機器の操作に不慣れなユーザ、特に年配者は、機器の操作に慣れたユーザが自己に代わってリモートコントローラを操作してくれることを望んでいる。
【０００８】
本発明の目的は、上記問題を解消し、互いに離れた場所にいるユーザ間において、一方が他方に代わって他方の受信装置を遠隔操作することができる放送システム、それに用いられる受信装置及び放送装置を提供することにある。
【課題を解決するための手段】
【０００９】
上記目的を達成するために、本発明における放送システムは、放送信号を送信する放送装置と、前記放送信号を受信し、これを映像信号及び音声信号に復元してテレビジョン受像機に出力する複数の受信装置とを備える放送システムであって、前記複数の受信装置それぞれは、当該受信装置以外の別の受信装置に対する遠隔操作が外部から求められると、前記別の受信装置に対して遠隔操作の許可を求める遠隔操作信号を、前記放送装置に向けて送信し、前記放送装置は、前記遠隔操作信号を受信すると、前記別の受信装置を特定し、特定した前記別の受信装置に向けて前記遠隔操作信号を送信し、前記別の受信装置は、前記遠隔操作信号を受信し、且つ、前記遠隔操作を受け入れる場合は、前記遠隔操作信号を送信した受信装置によって遠隔操作されることを特徴とする。
【００１０】
また、上記目的を達成するために、本発明における受信装置は、放送装置が送信する放送信号を受信する受信装置であって、前記放送信号を受信し、これを映像信号及び音声信号に復元してテレビジョン受像機に出力する映像受信部と、遠隔操作処理部とを備え、前記遠隔操作処理部は、前記放送装置の前記放送信号を受信する別の受信装置に対する遠隔操作が外部から求められた場合は、前記別の受信装置に対して遠隔操作の許可を求める遠隔操作信号を、前記放送装置に向けて送信し、前記別の受信装置が当該受信装置を遠隔操作するために前記放送装置に前記遠隔操作信号を送信し、そして前記放送装置が前記遠隔操作信号を当該受信装置に送信した場合は、前記別の受信装置が当該受信装置において予め登録されていることを条件として、前記別の受信装置による遠隔操作を受け入れ、前記映像受信部は、前記遠隔操作処理部が前記別の受信装置による遠隔操作を受け入れた場合は、前記別の受信装置の指示に応じて、動作することを特徴とする。
【００１１】
更に、上記目的を達成するために、本発明における放送装置は、複数の受信装置に放送信号を送信する放送装置であって、前記複数の受信装置のいずれかが、当該受信装置以外の別の受信装置を遠隔操作するために、当該放送装置に向けて、前記別の受信装置に対して遠隔操作の許可を求める遠隔操作信号を送信する場合において、前記遠隔操作信号から前記別の受信装置を特定し、前記遠隔操作信号を送信した受信装置と前記別の受信装置との組合せが当該放送装置において予め登録されているかどうかを判定し、登録されている場合にのみ、前記別の受信装置に向けて前記遠隔操作信号を送信することを特徴とする。
【発明の効果】
【００１２】
以上のように、本発明によれば、一の受信装置と他の受信装置との間で主従関係が構築される。よって、互いに離れた場所にいるユーザ間において、一方のユーザが他方のユーザの代わりに他方のユーザの受信装置を操作することができる。このため、例えば、機器の操作に不慣れな者であっても、機器の操作に習熟した者によるチャンネルの切り換えや視聴予約によって、確実に希望する番組を視聴することができる。
【発明を実施するための最良の形態】
【００１３】
本発明における放送システムは、放送信号を送信する放送装置と、前記放送信号を受信し、これを映像信号及び音声信号に復元してテレビジョン受像機に出力する複数の受信装置とを備える放送システムであって、前記複数の受信装置それぞれは、当該受信装置以外の別の受信装置に対する遠隔操作が外部から求められると、前記別の受信装置に対して遠隔操作の許可を求める遠隔操作信号を、前記放送装置に向けて送信し、前記放送装置は、前記遠隔操作信号を受信すると、前記別の受信装置を特定し、特定した前記別の受信装置に向けて前記遠隔操作信号を送信し、前記別の受信装置は、前記遠隔操作信号を受信し、且つ、前記遠隔操作を受け入れる場合は、前記遠隔操作信号を送信した受信装置によって遠隔操作されることを特徴とする。
【００１４】
上記本発明における放送システムは、前記放送装置は、前記遠隔操作信号を送信した受信装置と前記別の受信装置との組合せが前記放送装置において予め登録された組合せであるかどうかを判定し、登録されている場合にのみ、前記別の受信装置に向けて前記遠隔操作信号を送信する態様であるのが好ましい。この態様によれば、遠隔操作される受信装置のセキュリティを更に向上させることができる。
【００１５】
上記本発明における放送システムは、前記別の受信装置は、それにおいて予め登録された受信装置から前記遠隔操作信号が送信されたときに、前記遠隔操作を受け入れる態様であっても良い。この態様によれば、遠隔操作される受信装置のユーザが認めた他のユーザによってのみ、遠隔操作が行われる。
【００１６】
また、上記本発明における放送システムは、前記別の受信装置は、前記遠隔操作信号を受信し、且つ、前記遠隔操作を受け入れる場合は、自己の状態を特定するステータス情報を、前記放送装置を経由して、前記遠隔操作信号を送信した受信装置に送信し、前記遠隔操作信号を送信した受信装置は、前記ステータス情報を受信すると、前記ステータス情報に基づいて、前記別の受信装置がテレビジョン受像機に出力している映像信号及び音声信号と同じ信号を、前記遠隔操作信号を送信した受信装置に接続されたテレビジョン受像機に出力する態様とするのが好ましい。この態様によれば、遠隔操作を行う受信装置において操作性の向上を図ることができる。
【００１７】
更に、上記本発明における放送システムでは、前記遠隔操作信号を送信した受信装置によって許可が求められる遠隔操作としては、チャンネルの切り替え、及び番組の視聴予約等が挙げられる。また、前記ステータス情報は、前記別の受信装置が選択しているチャンネル、前記別の受信装置によって視聴可能なチャンネル、及び前記別の受信装置によって視聴予約されているチャンネルのうちの少なくとも一つを特定しているのが良い。
【００１８】
また、本発明における受信装置は、放送装置が送信する放送信号を受信する受信装置であって、前記放送信号を受信し、これを映像信号及び音声信号に復元してテレビジョン受像機に出力する映像受信部と、遠隔操作処理部とを備え、前記遠隔操作処理部は、前記放送装置の前記放送信号を受信する別の受信装置に対する遠隔操作が外部から求められた場合は、前記別の受信装置に対して遠隔操作の許可を求める遠隔操作信号を、前記放送装置に向けて送信し、前記別の受信装置が当該受信装置を遠隔操作するために前記放送装置に前記遠隔操作信号を送信し、そして前記放送装置が前記遠隔操作信号を当該受信装置に送信した場合は、前記別の受信装置が当該受信装置において予め登録されていることを条件として、前記別の受信装置による遠隔操作を受け入れ、前記映像受信部は、前記遠隔操作処理部が前記別の受信装置による遠隔操作を受け入れた場合は、前記別の受信装置の指示に応じて、動作することを特徴とする。
【００１９】
更に、本発明における放送装置は、複数の受信装置に放送信号を送信する放送装置であって、前記複数の受信装置のいずれかが、当該受信装置以外の別の受信装置を遠隔操作するために、当該放送装置に向けて、前記別の受信装置に対して遠隔操作の許可を求める遠隔操作信号を送信する場合において、前記遠隔操作信号から前記別の受信装置を特定し、前記遠隔操作信号を送信した受信装置と前記別の受信装置との組合せが当該放送装置において予め登録されているかどうかを判定し、登録されている場合にのみ、前記別の受信装置に向けて前記遠隔操作信号を送信することを特徴とする。
【００２０】
（実施の形態）
以下、本発明の実施の形態における放送システム、受信装置、及び放送装置について、図１〜図１３を参照しながら説明する。最初に、本発明の実施の形態における放送システム、受信装置、及び放送装置の構成について図１及び図２を用いて説明する。
【００２１】
図１は、本発明の実施の形態における放送システム、受信装置、及び放送装置の構成を示すブロック図である。図２は、本実施の形態における受信装置が遠隔操作を行う場合にその内部で生成されるコマンドの一例を示す図であり、図２（ａ）は制御部が生成する内部コマンドを示し、図２（ｂ）は遠隔操作処理部が生成する親子通信コマンドを示している。図３は、本実施の形態における受信装置が遠隔操作される場合にその内部で生成されるコマンドの一例を示す図である。
【００２２】
図１に示すように、放送システムは、放送信号を送信する放送装置１と、複数の受信装置１０〜（ｎ×１０）とを備えている。本実施の形態では、放送装置１は、ＣＡＴＶ用の放送装置である。また、受信装置１０〜受信装置（ｎ×１０）は、ＣＡＴＶ用のＳＴＢ（Set Top Box）であり、ＣＡＴＶ局と契約しているユーザ（１）〜（ｎ）の宅内に配置されている（ｎ：任意の整数）。本実施の形態において、一の放送装置１の放送信号を受信する受信装置の数は、特に限定されるものではない。
【００２３】
放送装置１は、データ送受信部２と、放送信号送出部３とを備えている。放送信号送出部３は、従来の放送装置にも備えられており、地上波放送、ＣＳ放送、ＢＳ放送等を受信し、受信した放送信号を受信装置１０〜（ｎ×１０）に送出する。受信装置１０〜（ｎ×１０）は、従来のＳＴＢと同様に、映像受信部を備えている。映像受信部は、放送装置１の放送信号送出部３から送出された放送信号を受信し、これを映像信号及び音声信号に復元して、各ユーザ（１）〜（ｎ）のテレビジョン受像機（以下「ＴＶ」とする。）に出力する。
【００２４】
図１の例では、映像受信部及びＴＶは、受信装置１０及び２０に関してのみ図示されている。１７は、受信装置１０の映像受信部であり、１８は、受信装置１０に接続されたＴＶである。２７は、受信装置２０の映像受信部であり、２８は、受信装置２０に接続されたＴＶである。
【００２５】
このように、本発明の放送システムは、放送装置１及び受信装置１０〜（ｎ×１０）を備えており、従来のＣＡＴＶシステムと同様に、種々のコンテンツをユーザに配信できる。但し、本発明においては、従来と異なり、受信装置間で主従関係を構築でき、一の受信装置のユーザが、他のユーザの受信装置を遠隔操作できるようになっている。
【００２６】
即ち、受信装置１０〜（ｎ×１０）それぞれは、自己以外の別の受信装置に対する遠隔操作が外部から求められると、この別の受信装置に対して遠隔操作の許可を求める遠隔操作信号を、放送装置１に向けて送信する。遠隔操作信号は、この遠隔操作対象となる別の受信装置を特定する情報を含んでおり、放送装置１は、遠隔操作信号を受信すると、遠隔操作信号から別の受信装置を特定する。更に、放送装置１は、特定した別の受信装置に向けて遠隔操作信号を送信する。遠隔操作対象となる受信装置によって、遠隔操作信号が受信され、そして、遠隔操作が受け入れられる場合は、遠隔操作対象となる受信装置は、遠隔操作信号を送信した受信装置によって遠隔操作されることとなる。
【００２７】
受信装置１０及び受信装置２０を例にとって、その構成を具体的に説明する。図１に示すように、本実施の形態１では、受信装置１０は、映像受信部１７に加え、制御部１２と、遠隔操作処理部１３と、データ変調部１４と、データ復調部１５と、メモリ１６とを備えている。同様に、受信装置２０も、映像受信部２７に加え、制御部２２と、遠隔操作処理部２３と、データ変調部２４と、データ復調部２５と、メモリ２６とを備えている。１１及び２１は、それぞれ、ユーザが受信装置の操作を行うための入力装置（リモートコントローラ）である。
【００２８】
受信装置１０の各部と、受信装置２０の各部とは、同一の機能を備えており、両者は同一の装置である。よって、受信装置１０によって受信装置２０を遠隔操作することも、受信装置２０によって受信装置１０を遠隔操作することも可能である。
【００２９】
但し、本実施の形態における放送システムでは、セキュリティを確保するため、遠隔操作する側の受信装置（親機）と、遠隔操作される側の受信装置（子機）とは、予め登録されている必要がある。また、登録は、親機のメモリ、子機のメモリ、及び放送装置のメモリ（図示せず）それぞれに、親機（マスター）のＳＴＢ識別子と子機（スレーブ）のＳＴＢ識別子とを予め格納することによって行うことができる。
【００３０】
本実施の形態では、受信装置１０が親機として登録されており、受信装置２０が子機として登録されている。なお、受信装置１０及び２０以外の受信装置の全部または一部も、受信装置１０及び２０と同一の装置である。よって、受信装置１０及び２０以外の受信装置のいずれかが、親機として、または子機として登録されていても良い。
【００３１】
ここで、受信装置が親機として登録されている場合における、受信装置の各部の機能について、受信装置１０に基づいて説明する。受信装置１０において、制御部１２は、ユーザ（１）が、入力装置１１を介して、受信装置１０以外の別の受信装置（受信装置２０）に対する遠隔操作を求めると、図２（ａ）に示す内部コマンドを生成し、これを遠隔操作処理部１３に入力する。
【００３２】
遠隔操作処理部１３は、制御部１２から内部コマンドが入力されると、図２（ｂ）に示す親子通信コマンドを生成する。具体的には、遠隔操作処理部１３は、メモリ１６にアクセスし、送信元となる受信装置１０（親機）のＳＴＢ識別子と、送信先となる受信装置２０のＳＴＢ識別子とをメモリ１６から読み出し、これらを内部コマンドに付加する。
【００３３】
なお、図２（ａ）の内部コマンド及び図２（ｂ）の親子通信コマンドにおいて、「遠隔操作コマンド」は遠隔操作の種類を特定している。遠隔操作の種類としては、例えば、ＥＰＧ（Electric Program Guide）の表示、チャンネル変更、視聴予約、更には遠隔操作の開始又は終了の指示等が挙げられる。
【００３４】
また、遠隔操作処理部１３は、生成した親子通信コマンド（図２（ｂ）参照）をデータ変調部１４に入力し、データ変調部１４に遠隔操作信号を生成させ、更に、これを放送装置１に向けて送信させる。具体的には、データ変調部１４は、親子通信コマンドが入力されると、親子通信コマンドに含まれる情報を特定するＲＦ信号を生成し、これを放送装置１に送信する。このＲＦ信号が、受信装置２０（子機）に対して遠隔操作の許可を求める遠隔操作信号となる。
【００３５】
なお、ユーザ（１）が、入力装置１１によって、遠隔操作ではなく、単なるチャンネル変更を指示した場合は、制御部１２は、選択されたチャンネルを特定する内部コマンドを生成する。また、ユーザ（１）が、視聴予約を行った場合は、制御部１２は、予約日時となったときに、選択されたチャンネルを特定する内部コマンドを生成する。そして、制御部１２が内部コマンドを映像受信部１７に入力すると、映像受信部１７は、内部コマンドによって特定されたチャンネルの放送信号を抽出し、抽出した放送信号を映像信号及び音声信号に復元し、これをＴＶ１８に出力する。
【００３６】
また、親機となる受信装置１０から送信された遠隔操作信号は、放送装置１のデータ送受信部２によって受信される。データ送受信部２は、遠隔操作信号を受信すると、それから送信先及び送信元のＳＴＢ識別子を抽出し、親機及び子機を特定する。更に、本実施の形態では、放送装置１によるセキュリティの確保も図るため、データ送受信部２は、抽出したＳＴＢ識別子が、放送装置１のメモリ（図示せず）に予め登録された受信装置１０と受信装置２０とであるかどうかを判定する。データ送受信部２は、判定の結果、登録された受信装置１０と受信装置２０とである場合にのみ、子機（受信装置２０）に遠隔操作信号を送信する。
【００３７】
次に、受信装置が子機として登録されている場合における、受信装置の各部の機能について、受信装置２０に基づいて説明する。受信装置２０（子機）において、データ復調部２５は、放送装置１が送信した遠隔操作信号を復調して、復調データを生成する。復調データは元の親子通信コマンドである。得られた復調データ（親子通信コマンド）は、遠隔操作処理部２３に入力される。
【００３８】
また、本実施の形態では、子機によるセキュリティの確保も図るため、遠隔操作処理部２３は、得られた親子通信コマンドから送信先及び送信元のＳＴＢ識別子を抽出する。更に、遠隔操作処理部２３は、メモリ２６にアクセスし、抽出したＳＴＢ識別子が、予めメモリ２６に登録された受信装置１０と受信装置２０とであるかどうかを判定する。遠隔操作処理部２３は、判定の結果、登録された受信装置１０と受信装置２０とである場合にのみ遠隔操作を受け入れる。
【００３９】
そして、遠隔操作処理部２３が遠隔操作を受け入れることを決定した後、親機となる受信装置１０から指示がなされると、制御部２２は、受信装置１０の指示に応じて、映像受信部２７を動作させる。具体的には、受信装置１０のユーザ（１）が、受信装置１０においてチャンネル変更や視聴予約を行った場合は、制御部２２は、それに合わせて、映像受信部２７にも映像信号及び音声信号の復元及びＴＶ２８への出力を行わせる。
【００４０】
また、本実施の形態では、遠隔操作処理部２３は、遠隔操作を受け入れることを決定した後、受信装置２０の状態を特定するステータス情報を、放送装置１を経由して、受信装置１０に送信することもできる。この場合、遠隔操作処理部２３は、図３に示す親子通信コマンドを生成する。図３に示すように、遠隔操作処理部２３が生成する親子通信コマンドは、受信装置２０によって現在視聴されているチャンネル（番組）の情報、視聴可能なチャンネル（番組）の情報、現在の視聴予約されているチャンネル（番組）の情報等をステータス情報として含んでいる。
【００４１】
なお、これらの情報は、メモリ２６に格納されている。また、図３中のＥＸ１〜ＥＸ３における情報種別は、データが、上記したいずれの情報であるかを特定している。図３中のＥＸ１におけるチャンネルのネットワークＩＤ（ＮＷＩＤ）は、ＢＳ放送、地上デジタル放送等の放送の種類を特定する。同じくチャンネルのサービルＩＤ（ＳＩＤ）は、例えばＢＳハイビジョンのように各放送の具体的なチャンネルを特定する。更に、図３中のＥＸ３における予約インデックス番号は、各視聴予約に振り分けられた識別番号である。視聴予約が複数存在する場合は、図３中のＥＸ３に示すデータセットは複数セット存在することとなる。
【００４２】
また、遠隔操作処理部２３は、ステータス情報を含む親子通信コマンドをデータ変調部２４に入力し、データ変調部２４にＲＦ信号（ステータス情報信号）を生成させ、これを放送装置１へと送信させる。そして、放送装置１は、ステータス情報信号を受信すると、この場合も、セキュリティ確保のため、送信先及び送信元のＳＴＢ識別子を抽出し、抽出したＳＴＢ識別子が、予め登録されているかどうか判定する。登録されている場合は、放送装置１は、ステータス情報信号を、受信装置１０に送信する。
【００４３】
更に、受信装置１０では、ステータス情報信号は、データ復調部１５によって復調されて、元の親子通信情報コマンドに戻される。このステータス情報を含む親子通信コマンドは、受信装置１０の遠隔操作処理部１３に入力される。そして、遠隔操作処理部１３は、内部コマンド（図２（ａ）参照）を生成し、これを制御部１２に入力する。
【００４４】
例えば、このステータス情報に、受信装置２０によって現在視聴されているチャンネルの情報が含まれている場合は、制御部１２は、このチャンネルを特定する。そして、制御部１２は、映像受信部１７に、特定されたチャンネルの映像信号及び音声信号を生成させ、これをＴＶ１８に出力させる。この結果、受信装置１０に接続されたＴＶ１８には、受信装置２０に接続されたＴＶ２８が表示する映像が表示されるので、ユーザ（１）による遠隔操作が容易なものとなる。
【００４５】
また、本実施の形態では、遠隔操作処理部２３は、例えば、受信装置２０のユーザ（２）の指示等により、遠隔操作の受け入れを拒否することもできる。この場合は、遠隔操作処理部２３は、ステータス情報を含む親子通信コマンドの代わりに、遠隔操作が不許可であることを示す親子通信コマンドを生成する。そして、遠隔操作が不許可であることを示す親子通信コマンドは、データ変調部２４によって変調され、遠隔操作不許可信号が生成される。また、遠隔操作不許可信号も、放送装置１を経由して、受信装置１０に送信される。受信装置１０は、遠隔操作不許可信号を受信した場合は、そのことをユーザ（１）に通知する。
【００４６】
ここで、図１に示した本実施の形態における放送システムで行われる処理の流れについて図４〜図７を用いて説明する。以下の説明においては、適宜図１〜図３を参酌する。図４は、本実施の形態において親機で行われる処理の流れを示すフロー図である。図５は、本実施の形態において放送装置で行われる処理の流れを示すフロー図である。図６は、本実施の形態において子機で行われる処理の流れを示すフロー図である。図７は、遠隔操作の開始から終了までの間に親機及び子機が表示する画面の一例を示す図であり、図７（ａ）〜図７（ｄ）は一連の主な画面を示している。
【００４７】
最初に、親機となる受信装置１０における処理の流れについて図４を用いて説明する。図４に示すように、先ず、受信装置１０の制御部１２は、入力装置１１から信号が入力されると、信号が遠隔操作の指示であるかどうかを判定する（ステップＳ１０１）。具体的には、制御部１２は、入力装置１１が送信した信号からコードを抽出し、それが遠隔操作を指示するコードであるかどうかを判定する。遠隔操作の指示が入力されていない場合は、制御部１２は、遠隔操作については待機状態となる。
【００４８】
一方、遠隔操作の指示がなされている場合（図７（ａ）左図参照）は、制御部１２は、遠隔操作の開始を子機に通知するため、内部コマンド（図２（ａ）参照）を生成して、これを遠隔操作処理部１３に入力する。そして、遠隔操作処理部１３は、送信元及び送信先を特定して、親子通信コマンド（図２（ｂ）参照）を生成し、これをデータ変調部１４に入力する（ステップＳ１０２）。続いて、データ変調部１４は、この親子通信コマンドをＲＦ信号に変調して遠隔操作信号を生成し、これを放送装置１に送信する（ステップＳ１０３）。更に、放送装置１は、受信した信号を、子機となる受信装置２０に送信する。放送装置１における処理については、図５を用いて後述する。
【００４９】
ステップＳ１０３によって遠隔操作信号を放送装置１に送信した後は、遠隔操作処理部１３は、放送装置１を経由して他の受信装置からの信号を受信したかどうかを判定する（ステップＳ１０４）。受信していない場合は、遠隔操作処理部１３は、待機状態となる。なお、本実施の形態は、制御部１２が、待機状態中において放送装置１からの信号が一定期間全く受信されない場合に、映像受信部１７に、子機との通信が確立されない旨を表示させる態様とすることもできる。
【００５０】
一方、他の受信装置からの信号を受信している場合は、遠隔操作処理部１３は、データ復調部１５に、受信した信号を復調させる（ステップＳ１０５）。そして、遠隔操作処理部１３は、復調データ（親子通信コマンド）に基づいて、送信元が適切であるかどうか、即ち、送信元が、メモリ１６に登録された受信装置２０（子機）であるかどうかを判定する（ステップＳ１０６）。
【００５１】
ステップＳ１０６の判定の結果、送信元が受信装置２０でない場合は、遠隔操作処理部１３は、復調データを破棄し（ステップＳ１０７）、待機状態となる。これに対して、送信元が受信装置２０である場合は、遠隔操作処理部１３は、受信信号がステータス情報信号及び遠隔操作不許可信号のいずれかであるか判定する（ステップＳ１０８）。具体的には、ステップＳ１０５で得られた復調データは、受信装置２０が生成した親子通信コマンドであることから、遠隔操作処理部１３は、遠隔操作コマンドを抽出し、それに基づいて判定を行なう。
【００５２】
判定の結果、受信信号がステータス情報信号及び遠隔操作不許可信号のいずれでもない場合は、待機状態となる。一方、受信信号がステータス情報信号及び遠隔操作不許可信号のいずれかである場合は、遠隔操作処理部１３は、更に、受信信号がステータス情報信号であるかどうかを判定する（ステップＳ１０９）。
【００５３】
このとき、受信信号がステータス情報信号でない場合（遠隔操作不許可信号である場合）は、遠隔操作処理部１３は、遠隔操作できないことを示す内部コマンドを生成し、これを制御部１２に入力する。更に、制御部１２は、遠隔操作が不許可であることをＴＶ１８に表示させ（ステップＳ１１０）、その後、処理を終了する。
【００５４】
一方、受信信号がステータス情報信号である場合は、遠隔操作処理部１３は、ステータス情報を含む内部コマンドを生成する。そして、この内部コマンドが制御部１２に入力されると、制御部１２は遠隔操作送信モードを実行する（Ｓ１１１）。具体的には、制御部１２は、映像受信部１７に遠隔操作が開始された旨を表示させる（図７（ｂ）左図参照）。更に、制御部１２は、ＮＷＩＤ及びＳＩＤ（図３参照）を抽出し、これらから受信装置２０で視聴されているチャンネルを特定する。そして、制御部１２は、映像受信部１７に、特定されたチャンネルを選択するように指示する。
【００５５】
次に、制御部１２は、入力装置１１を介したユーザ（１）による遠隔操作を受け付け、受け付けた遠隔操作を実行する（ステップＳ１１２）。遠隔操作としては、例えば、チャンネルの変更や、視聴予約等が挙げられる。なお、ステップＳ１１２については、図８及び図１１を用いて後述する。
【００５６】
その後、制御部１２は、入力装置１１を介して遠隔操作の終了が指示されているかどうかの判定を行なう（ステップＳ１１３）。制御部１２は、入力装置１１を介してユーザ（１）から、終了が指示されていない場合は、再度ステップＳ１１２を実行し、終了が指示されている場合は、処理を終了する（図７（ｃ）左図及び図７（ｄ）左図参照）。
【００５７】
なお、図４においては、図示していないが、入力装置１１を介してユーザ（１）から、終了が指示されると、制御部１２は、そのことを示す内部コマンドを生成し、これを遠隔操作処理部１３に入力する。更に、遠隔操作処理部１３による親子通信コマンドの生成、データ変調部１４によるＲＦ信号への変調、ＲＦ信号の放送装置１への送信が行われる。また、終了を指示する信号は、放送装置１を経由して、子機に送信される。
【００５８】
次いで、放送装置１における処理の流れについて図５を用いて説明する。図５に示すように、先ず、放送装置１のデータ送受信部２は、受信装置から送信された信号を受信すると、この受信信号を復調して、元の親子通信コマンドを生成する（ステップＳ１）。そして、データ送受信部２は、送信先の受信装置と送信元の受信装置とを特定するため、ステップＳ１で得られた親子通信コマンドから送信先ＳＴＢ識別子及び送信元ＳＴＢ識別子を抽出する（ステップＳ２）。
【００５９】
次に、データ送受信部２は、送信先の受信装置と送信元の受信装置とが適切であるかどうかを判定する（ステップＳ３）。具体的には、データ送受信部２は、放送装置１に備えられたメモリ（図示せず）にアクセスし、ステップＳ２で抽出された送信先ＳＴＢ識別子と送信元ＳＴＢ識別子との組合せが予め登録されているかどうかどうかを判定する。
【００６０】
判定の結果、ステップＳ２で抽出された送信先ＳＴＢ識別子と送信元ＳＴＢ識別子との組合せが予め登録されていない場合は、データ送受信部２は、適切でないとして、ステップＳ１で得られた親子通信コマンドを破棄する（ステップＳ４）。その後、データ送受信部２は待機状態となる。
【００６１】
一方、予め組合せが登録されている場合、データ送受信部２は、適切であるとして、送信先となる受信装置に信号を送信し（ステップＳ５）、処理を終了する。例えば、ステップＳ１で受信された信号が、図４に示したステップＳ１０３で送信された信号である場合は、送信元ＳＴＢ識別子が受信装置１０を示し、送信先ＳＴＢ識別子が受信装置２０を示すため、データ送受信部２は、適切であると判定する。また、信号の送信は、ステップＳ１で得られた親子通信コマンドを再度変調し、変調して得られたＲＦ信号を送信することによって行われる。
【００６２】
このように、放送装置１がステップＳ１〜Ｓ５を実行することにより、一方の受信装置が送信した信号は、放送装置１を経由して、他方の受信装置へと送信される。また、上述のように、本実施の形態における放送装置１によれば、予め登録されていない受信装置間では信号の送受信は認められないこととなるため、セキュリティが確保される。
【００６３】
次いで、子機となる受信装置２０における処理の流れについて図６を用いて説明する。図６に示すように、他の受信装置が送信した信号が放送装置１を経由して受信装置２０に送信されると、データ復調部２５は、これを受信し、そして復調する（ステップＳ２０１）。次に、遠隔操作処理部２３は、復調データに基づいて、送信元が適切であるかどうか、即ち、送信元が、メモリ２６に登録された受信装置１０（親機）であるかどうかを判定する（ステップＳ２０２）。
【００６４】
ステップＳ２０２の判定の結果、送信元が受信装置１０でない場合は、遠隔操作処理部２３は、復調データを破棄し（ステップＳ２０３）、待機状態となる。これに対して、送信元が受信装置１０である場合は、遠隔操作処理部２３は、更に、復調データ（親子通信コマンド）に基づいて、受信信号が遠隔操作信号であるかどうかを判定する（ステップＳ２０４）。
【００６５】
ステップＳ２０４の判定の結果、遠隔操作信号でない場合は、ステップＳ２０３の実行後と同様に、遠隔操作処理部２３は、待機状態となる。一方、遠隔操作信号である場合は、遠隔操作処理部２３は、復調データから内部コマンドを生成し、これを制御部２２に入力する。そして、制御部２２は、遠隔操作の受け入れを許可できる状態にあるかどうか、例えば、ユーザ（２）が遠隔操作の受け入れを拒否するように指示しているかどうか等を判定する（ステップＳ２０５）。
【００６６】
ステップＳ２０５の判定の結果、遠隔操作の受け入れが拒否されている場合は、制御部２２は、そのことを示す内部コマンドを生成し、これを遠隔操作処理部２３に入力する。そして、遠隔操作処理部２３は、遠隔操作が不許可であることを示す親子通信コマンドを生成する（ステップＳ２０６）。ステップＳ２０６が実行されると、データ変調部２４は、ステップＳ２０６で生成された親子通信コマンドを変調して、遠隔操作不許可信号を生成し、これを放送装置１に送信する（ステップＳ２０７）。その後、受信装置２０における処理は終了する。
【００６７】
一方、遠隔操作の受け入れが拒否されていない場合は、制御部２２は、遠隔操作受信モードを実行する（ステップＳ２０８）。具体的には、制御部２２は、入力装置２１からの入力を受け付けない状態となり、実質的に入力装置２１の使用が禁止される（図７（ａ）右図及び図７（ｂ）右図参照）。次に、制御部２２は、メモリ２６にアクセスしてステータス情報を取得し（ステップＳ２０９）、更に、ステータス情報を含む内部コマンドを生成して、これを遠隔操作処理部２３に入力する。そして、遠隔操作処理部２３は、この内部コマンドに基づいて、ステータス情報を含む親子通信コマンドを生成する（ステップＳ２１０）。
【００６８】
その後、データ変調部２４は、ステップＳ２１０で生成された親子通信コマンドを変調してステータス情報信号を生成し、これを、放送装置１を経由して受信装置１０（親機）に送信する（ステップＳ２１１）。ステップＳ２１１が実行されると、受信装置１０においては、図４に示したステップＳ１１２（遠隔操作）が実行される。この後、制御部２２は、受信装置１０の制御部１２の指示に従って動作し（図７（ｃ）右図及び図７（ｄ）右図参照）、遠隔操作された状態となる（ステップＳ２１２）。なお、ステップＳ２１２については、図９及び図１２を用いて後述する。
【００６９】
次に、制御部２２は、受信装置１０によって遠隔操作の終了が指示されているかどうかの判定を行なう（ステップＳ２１３）。制御部２２は、終了が指示されていない場合は、再度ステップＳ２１２を実行し、終了が指示されている場合は、処理を終了する。
【００７０】
なお、図６においては、図示していないが、ユーザ（１）が遠隔操作の終了を指示した場合は、上述したように、終了を指示する信号は、受信装置１０から放送装置１に送信された後、放送装置１から受信装置２０へと送信される。また、受信装置２０においては、この終了を指示する信号に対して、データ復調部２５による復調、遠隔操作処理部２３による内部コマンドの生成及び制御部２２への入力が行われる。制御部２２は、内部コマンドに基づいて、遠隔操作の終了が指示されているかどうか判定する。
【００７１】
以上のように本実施の形態によれば、ユーザ（２）から離れた場所にいるユーザ（１）は、自己の受信装置１０を介して、ユーザ（２）に代わって、ユーザ（２）の受信装置２０を遠隔操作できる。このため、図７（ａ）〜図７（ｃ）に示すように、ユーザ（２）は、機器の操作に不慣れな者であっても、ユーザ（１）の補助により、希望の番組を視聴することができる。
【００７２】
次に、遠隔操作の具体例の一つである、親機によって子機の選択しているチャンネルを変更する例について、図８〜図１０に基づいて説明する。なお、本実施の形態においては、チャンネル変更のユーザによる指示は、ＥＰＧを表示させた後、ＥＰＧ上での操作によって行われる。このため、チャンネル変更の前に先ずＥＰＧの表示処理が行われる。
【００７３】
図８は、チャンネル変更時に親機で行われる処理の流れを示すフロー図である。図９は、チャンネル変更時に子機で行われる処理の流れを示すフロー図である。図１０は、チャンネル変更の開始から終了までの間に親機及び子機が表示する画面の一例を示す図であり、図１０（ａ）〜図１０（ｄ）は一連の主な画面を示している。
【００７４】
最初に、チャンネル変更のために親機で行われるステップＳ１１２（図４参照）の処理について、図８を用いて説明する。図８に示すように、図４に示したステップＳ１１１が終了した後に、ユーザ（１）がＥＰＧの表示操作を入力装置１１によって入力すると（図１０（ａ）左図参照）、制御部１２は、その入力を受け付ける（ステップＳ１２１）。
【００７５】
次に、入力を受け付けると、制御部１２は、ＥＰＧの表示を子機に指示する内部コマンドを生成し、これを遠隔操作処理部１３に入力する。そして、遠隔操作処理部１３は、ＥＰＧの表示を子機に指示するため、親子通信コマンド（図２（ｂ）参照）を生成し、これをデータ変調部１４に入力する（ステップＳ１２２）。続いて、データ変調部１４は、この親子通信コマンドをＲＦ信号に変調して遠隔操作信号を生成し、これを放送装置１に送信する（ステップＳ１２３）。更に放送装置１は、受信した信号を、受信装置２０に送信する。
【００７６】
なお、放送装置１は、この場合も、上述の図５に示した処理と同様の処理を実行する。また、ステップＳ１２２及びＳ１２３は、それぞれ、図４に示したＳ１０２及びＳ１０３と同様のステップである。
【００７７】
次に、ステップＳ１２３によって遠隔操作信号を放送装置１に送信した後、遠隔操作処理部１３は、図４に示したステップＳ１０４と同様に、他の受信装置からの信号を受信したかどうかを判定する（ステップＳ１２４）。受信していない場合は、遠隔操作処理部１３は、待機状態となる。
【００７８】
一方、受信している場合は、図４に示したステップＳ１０５及びＳ１０６と同様に、データ復調部１５による復調（ステップＳ１２５）、遠隔操作処理部１３による送信元が適切かどうかの判定（ステップＳ１２６）が行われる。ステップＳ１２６において、送信元が不適切であると判定された場合、復調データは破棄される（ステップＳ１２７）。
【００７９】
次に、ステップＳ１２６において送信元が適切であると判定された場合は、遠隔操作処理部１３は、受信信号が、ＥＰＧの表示の完了を通知する信号（ＥＰＧ表示完了信号）であるかどうかを判定する（ステップＳ１２８）。具体的には、図４に示したステップＳ１０８と同様に、遠隔操作処理部１３は、ステップＳ１２５で得られた復調データ（親子通信コマンド）から遠隔操作コマンドのコードを抽出し、それに基づいて判定を行なう。
【００８０】
判定の結果、受信信号がＥＰＧ表示完了信号でない場合は、待機状態となる。一方、受信信号がＥＰＧ表示完了信号である場合は、遠隔操作処理部１３は、子機においてＥＰＧ表示が完了したことを示す内部コマンドを生成し、これを制御部１２に入力する。また、この場合、制御部１２は、親機においてもＥＰＧを表示する（ステップＳ１２９）。
【００８１】
具体的には、制御部１２は、ＥＰＧを特定する情報をメモリ１６から抽出し、これを映像受信部１７に入力する。映像受信部１７は、入力された情報に基づいて映像信号を生成し、これをＴＶ１８に入力して、ＴＶ１８にＥＰＧを表示させる（図１０（ｂ）左図参照）。なお、ＥＰＧを特定する情報は、放送装置１の放送信号送出部３から、放送信号と共に送信され、受信された後、受信装置１０のメモリ１６に格納されている。
【００８２】
次に、ユーザ（１）が、入力装置１１によって、チャンネル選択操作を入力すると、制御部１２は、その入力を受け付ける（ステップＳ１３０）。本実施の形態では、図１０（ｂ）に示すように、チャンネルの選択は、ユーザがＥＰＧに表示された複数の番組のいずれかを画面上のカーソルで選択することによって行われる。また、図１０（ｃ）に示すように、選択された番組の番組説明が画面上に表示される。
【００８３】
その後、制御部１２は、ステップＳ１３０で入力されたチャンネルの選択を子機に指示するため、内部コマンドを生成し、これを遠隔操作処理部１３に入力する。更に、遠隔操作処理部１３は、ステップＳ１２２と同様に、入力された内部コマンドから親子通信コマンドを生成し、これをデータ変調部１４に入力する（ステップＳ１３１）。また、このとき、制御部１２は、映像受信部１７に対して、選択された番組が表示されるようにチャンネルの切り換えを行わせ、ＴＶ１８に選択された番組を表示させる。
【００８４】
続いて、データ変調部１４は、ステップＳ１２３と同様に、この親子通信コマンドをＲＦ信号に変調して遠隔操作信号を生成し、これを放送装置１に送信する（ステップＳ１３２）。更に、この場合も、放送装置１は、受信した信号を、受信装置２０に送信する。
【００８５】
次に、ステップＳ１３２の実行後、受信装置１０では、信号を受信したかどうかの判定（ステップＳ１３３）、データの復調（ステップＳ１３４）、送信元が適切かどうかの判定（ステップＳ１３５）、適切でない場合のデータの破棄（ステップＳ１３６）が行われる。ステップＳ１３３からＳ１３５までの処理は、ステップＳ１２４からＳ１２７までの処理と同様である。
【００８６】
次に、ステップＳ１３５において送信元が適切であると判定された場合は、遠隔操作処理部１３は、受信信号が、受信装置２０がチャンネル選択の完了を通知する信号（チャンネル選択完了信号）であるかどうかを判定する（ステップＳ１３７）。ステップＳ１３７においても、ステップＳ１２８と同様に、遠隔操作処理部１３は、復調データから遠隔操作コマンドのコードを抽出し、それに基づいて判定を行なう。
【００８７】
判定の結果、受信信号がチャンネル選択完了信号でない場合は、再度ステップＳ１３３から処理が実行される。一方、受信信号がチャンネル選択完了信号である場合は、制御部１２はチャンネル変更処理を終了する（図１０（ｄ）左図参照）。
【００８８】
次いで、チャンネル変更のために子機で行われるステップＳ２１２（図６参照）の処理について、図９を用いて説明する。図９に示すように、他の受信装置が送信した信号が放送装置１を経由して受信装置２０に送信されてくると、データ復調部２５は、これを復調する（ステップＳ２２１）。次に、遠隔操作処理部２３は、復調データに基づいて、送信元が適切であるかどうか判定する（ステップＳ２２２）。
【００８９】
ステップＳ２２２の判定の結果、送信元が受信装置１０でない場合は、遠隔操作処理部２３は、復調データを破棄し（ステップＳ２２３）、待機状態となる。なお、ステップＳ２２１〜Ｓ２２３は、それぞれ、図６に示したステップＳ２０１〜Ｓ２０３と同様のステップである。
【００９０】
一方、送信元が受信装置１０である場合は、遠隔操作処理部２３は、復調データ（親子通信コマンド）に基づいて、受信信号がＥＰＧの表示を指示する遠隔操作信号であるかどうかを判定する（ステップＳ２２４）。なお、ステップＳ２２４においてこのような判断が行われるのは、本実施の形態では、チャンネル変更の前に先ずＥＰＧを表示させる必要があるからである。
【００９１】
判定の結果、受信信号がＥＰＧの表示を指示する遠隔操作信号でない場合は、遠隔操作処理部２３は待機状態となる。一方、受信信号がＥＰＧの表示を指示する遠隔操作信号である場合は、遠隔操作処理部２３は、ＥＰＧの表示を指示する内部コマンドを生成し、これを制御部２２に入力する。そして、制御部２２は、映像受信部２７にＥＰＧを表示させる（ステップＳ２２５）。
【００９２】
具体的には、制御部２２は、図８に示したステップＳ１２９と同様に、ＥＰＧを特定する情報をメモリ２６から抽出し、これを映像受信部２７に入力する。映像受信部２７は、入力された情報に基づいて映像信号を生成し、ＴＶ２８にＥＰＧを表示させる（図１０（ｂ）右図参照）。
【００９３】
次いで、制御部２２は、ＥＰＧの表示を確認すると、ＥＰＧの表示の完了を示す内部コマンドを生成し、これを遠隔操作処理部２３に入力する。そして、遠隔操作処理部２３は、この内部コマンドに基づいて、ＥＰＧの表示の完了を示す親子通信コマンドを生成する（ステップＳ２２６）。その後、データ変調部２４は、ステップＳ２２６で生成された親子通信コマンドを変調して、ＥＰＧ表示完了信号を生成し、これを放送装置１に送信する（ステップＳ２２７）。
【００９４】
放送装置１は、この場合も、上述の図５に示した処理と同様の処理を実行して、受信した信号を受信装置１０に送信する。また、これにより、受信装置１０においては、図８に示したステップＳ１２９が実行される。
【００９５】
次に、ステップＳ２２７によってＥＰＧ表示完了信号を送信した後、遠隔操作処理部２３は、他の受信装置からの信号を受信したかどうかを判定する（ステップＳ２２８）。受信していない場合は、遠隔操作処理部２３は、待機状態となる。
【００９６】
一方、受信している場合は、ステップＳ２２１及びＳ２２２と同様に、データ復調部２５による復調（ステップＳ２２９）、遠隔操作処理部１３による送信元が適切かどうかの判定（ステップＳ２３０）が行われる。更に、ステップＳ２３０において、送信元が不適切であると判定された場合、ステップＳ２２３と同様に、復調データは破棄される（ステップＳ２３１）。
【００９７】
一方、ステップＳ２３０において、送信元が適切であると判定された場合は、遠隔操作処理部２３は、復調データ（親子通信コマンド）に基づいて、受信信号がチャンネル選択を指示する遠隔操作信号であるかどうかを判定する（ステップＳ２３２）。
【００９８】
ステップＳ２３２の判定の結果、受信信号がチャンネル選択を指示する遠隔操作信号である場合は、遠隔操作処理部２３は、親子通信コマンドで指示されているチャンネルを特定し、更に、これを含む内部コマンドを生成して、これを制御部２２に入力する。この内部コマンドが入力されると、制御部２２は、映像受信部２７に、チャンネルの切り換えを行わせ、選択されたチャンネルの番組をＴＶ２８に表示させる（ステップＳ２３４）。
【００９９】
次に、制御部２２は、チャンネルの切り換えを確認すると、チャンネル選択の完了を示す内部コマンドを生成し、これを遠隔操作処理部２３に入力する。そして、遠隔操作処理部２３は、この内部コマンドに基づいて、チャンネル選択の完了を示す親子通信コマンドを生成する（ステップＳ２３５）。
【０１００】
その後、データ変調部２４は、ステップＳ２３５で生成された親子通信コマンドを変調して、チャンネル選択完了信号を生成し、これを放送装置１に送信する（ステップＳ２３６）。ステップＳ２３６の実行後、制御部２２はチャンネル変更処理を終了する（図１０（ｄ）右図参照）。また、放送装置１は、この場合も、上述の図５に示した処理と同様の処理を実行して、受信した信号を受信装置１０に送信する。
【０１０１】
一方、ステップＳ２３２の判定の結果、遠隔操作信号がチャンネル選択を指示していない場合は、遠隔操作処理部２３は、更に、受信信号が視聴予約を指示する遠隔操作信号であるかどうかを判定する（ステップＳ２３３）。
【０１０２】
更に、ステップＳ２３３の判定の結果、受信信号が視聴予約を指示する遠隔操作信号である場合は、後述の図１２に示す処理が実行される。一方、受信信号が視聴予約を指示する遠隔操作信号でもない場合は、遠隔操作処理部２３は、待機状態となり、再度ステップＳ２２８が実行される。
【０１０３】
続いて、遠隔操作の別の具体例である、親機によって子機の視聴予約を行う例について、図１１〜図１３に基づいて説明する。なお、視聴予約も、チャンネル変更の場合と同様に、ＥＰＧ（Electric Program Guide）を表示させた後、ＥＰＧ上での操作によって行われる。このため、視聴予約の前にも先ずＥＰＧの表示処理が行われる。
【０１０４】
図１１は、視聴予約時に親機で行われる処理の流れを示すフロー図である。図１２は、視聴予約時に子機で行われる処理の流れを示すフロー図である。図１３は、視聴予約の開始から終了までの間に親機及び子機が表示する画面の一例を示す図であり、図１３（ａ）〜図１３（ｄ）は一連の主な画面を示している。
【０１０５】
最初に、視聴予約のために親機で行われるステップＳ１１２（図４参照）の処理について、図１１を用いて説明する。図１１に示すように、先ず、受信装置１０においては、ＥＰＧ表示処理が行われる（ステップＳ１４１）。ステップＳ１４１により、受信装置１０及び受信装置２０の両方においてＥＰＧの表示が行われる（図１３（ａ）及び（ｂ）参照）。なお、ステップＳ１４１は、図８に示したステップＳ１２１からＳ１２９までの処理を全て含んでいる。
【０１０６】
次に、ユーザ（１）が、入力装置１１によって、視聴予約する番組の選択操作を入力すると、制御部１２は、その入力を受け付ける（ステップＳ１４２）。本実施の形態では、図１３（ｂ）に示すように、視聴予約する番組の選択も、チャンネル変更の場合と同様に、ユーザがＥＰＧに表示された複数の番組のいずれかを画面上のカーソルで選択することによって行われる。また、この場合も、図１３（ｃ）に示すように、選択された番組の番組説明が画面上に表示される。
【０１０７】
但し、図１０（ｂ）に示したＥＰＧは、現在時刻において視聴できる番組のみを表示していたが、図１３（ｂ）に示すＥＰＧは、現在から一週間の間に視聴できる番組も表示している。
【０１０８】
次に、制御部１２は、ステップＳ１４２で入力された番組の開始から終了までの時間が、既に視聴予約されている番組の開始から終了までの時間に重複していないかどうの判定を行う（ステップＳ１４３）。具体的には、制御部１２は、受信装置２０が既に送信しているステータス情報信号（図３及び図４参照）から、受信装置２０において視聴予約されている番組の開始時刻及び終了時刻を抽出し、これとステップＳ１４２で入力された番組の開始時刻及び終了時刻とを対比する。
【０１０９】
判定の結果、重複が存在する場合は、制御部１２は、映像受信部１７に指示を送り、予約が重複している旨の警告をＴＶ１８に表示させ、更に、再度ステップＳ１４２を実行する。一方、判定の結果、重複が存在しない場合は、制御部１２は、ステップＳ１４２で選択された番組の視聴予約を子機に指示する内部コマンドを生成し、これを遠隔操作処理部１３に入力する。なお、内部コマンドには、視聴予約された番組のチャンネル（ＮＷＩＤ及びＳＩＤ）、開始時刻及び終了時刻を特定する情報が含まれている。
【０１１０】
そして、遠隔操作処理部１３は、入力された内部コマンドに基づいて親子通信コマンドを生成し、これをデータ変調部１４に入力する（ステップＳ１４５）。続いて、データ変調部１４は、この親子通信コマンドをＲＦ信号に変調して遠隔操作信号を生成し、これを放送装置１に送信する（ステップＳ１４６）。更に放送装置１は、受信した信号を、受信装置２０に送信する。
【０１１１】
なお、放送装置１は、この場合も、上述の図５に示した処理と同様の処理を実行する。また、ステップＳ１４５及びＳ１４６は、それぞれ、図４に示したＳ１０２及びＳ１０３と同様のステップである。
【０１１２】
次に、ステップＳ１４６によって遠隔操作信号を放送装置１に送信した後、遠隔操作処理部１３は、図４に示したステップＳ１０４と同様に、他の受信装置からの信号を受信したかどうかを判定する（ステップＳ１４７）。受信していない場合は、遠隔操作処理部１３は、待機状態となる。
【０１１３】
一方、受信している場合は、図４に示したステップＳ１０５及びＳ１０６と同様に、データ復調部１５による復調（ステップＳ１４８）、遠隔操作処理部１３による送信元が適切かどうかの判定（ステップＳ１４９）が行われる。ステップＳ１４９において、送信元が不適切であると判定された場合、復調データは破棄される（ステップＳ１５０）。
【０１１４】
次に、ステップＳ１４９において送信元が適切であると判定された場合は、遠隔操作処理部１３は、受信信号が、受信装置２０における視聴予約の完了を通知する信号（視聴予約完了信号）であるかどうかを判定する（ステップＳ１５１）。具体的には、図４に示したステップＳ１０８と同様に、遠隔操作処理部１３は、ステップＳ１４８で得られた復調データ（親子通信コマンド）から遠隔操作コマンドのコードを抽出し、それに基づいて判定を行なう。
【０１１５】
判定の結果、受信信号が視聴予約完了信号でない場合は、待機状態となる。一方、受信信号が視聴予約完了信号である場合は、遠隔操作処理部１３は、子機において視聴予約が完了したことを示す内部コマンドを生成し、これを制御部１２に入力する。この場合、制御部１２は、視聴予約処理を終了する（図１３（ｄ）左図参照）。
【０１１６】
次いで、視聴予約のために子機で行われるステップＳ２１２（図６参照）の処理について、図１２を用いて説明する。図１１のステップＳ１４６に示したように、受信装置１０（親機）は、視聴予約を指示する場合、放送装置１を経由して、視聴予約を指示する遠隔操作信号を、受信装置２０（子機）に送信する。この場合は、図９のステップＳ２３３において、受信装置２０の遠隔操作処理部２３は、受信装置１０が視聴予約を指示していると判定する。
【０１１７】
遠隔操作処理部２３がこのような判定を行なった場合は、図１２に示すように、受信装置２０においては、視聴予約処理が行われる（ステップＳ２４１）。具体的には、遠隔操作処理部２３は、図９に示したステップＳ２２９で得られた復調データ（親子通信コマンド）から、視聴予約された番組が特定された内部コマンドを生成し、これを制御部２２に入力する。更に、制御部２２は、入力された内部コマンドをメモリ２６に格納する。
【０１１８】
その後、制御部２２は、視聴予約の完了を親機に通知するための内部コマンドを生成し、これを遠隔操作処理部２３に入力する。そして、遠隔操作処理部２３は、この内部コマンドに基づいて、視聴予約の完了を示す親子通信コマンドを生成する（ステップＳ２４２）。
【０１１９】
その後、データ変調部２４は、ステップＳ２４２で生成された親子通信コマンドを変調して、視聴予約完了信号を生成し、これを放送装置１に送信する（ステップＳ２４３）。ステップＳ２４３の実行後、制御部２２は映像受信部２７に指示を送り、視聴予約がなされたことをＴＶ２８に表示させ、その後、視聴予約処理を終了する（図１３（ｄ）右図参照）。また、放送装置１は、この場合も、上述の図５に示した処理と同様の処理を実行して、受信した信号を受信装置１０に送信する。
【０１２０】
そして、視聴予約された開始時刻になると、制御部２２は、メモリ２６にアクセスして視聴予約されたチャンネルを抽出し、抽出したチャンネルの番組を映像受信部２７に指示し、ＴＶ２８への表示を行わせる。その後、終了時刻が来ると、制御部２２は、映像受信部２７に対して、番組の表示を停止するよう指示を送る。
【０１２１】
以上のように、本実施の形態では、親機と子機との両方が同一の画面を表示する。また、チャンネル変更及び視聴予約はＥＰＧ上で行われる。このため、子機のユーザは、遠隔操作を確認することができ、親機のユーザに安心して操作を委ねることができる。
【０１２２】
また、本実施の形態においては、放送システムが、ＣＡＴＶに用いられる例について説明しているが、本発明はこれに限定されるものではない。本発明は、放送総局とユーザの受信装置との間で双方向の通信が行われる放送システムであれば例外なく適用できる。
【産業上の利用可能性】
【０１２３】
本発明における放送システム、受信装置、及び放送装置によれば、離れた場所にいるユーザ同士において一方が他方の補助を受けることができる。よって、本発明によれば、機器の操作に不慣れなユーザであっても所望の番組の視聴や視聴予約を行うことができる。本発明における放送システム、受信装置、及び放送装置は、産業上の利用可能性を有している。
【図面の簡単な説明】
【０１２４】
【図１】図１は、本発明の実施の形態における放送システム、受信装置、及び放送装置の構成を示すブロック図である。
【図２】図２は、本実施の形態における受信装置が遠隔操作を行う場合にその内部で生成されるコマンドの一例を示す図であり、図２（ａ）は制御部が生成する内部コマンドを示し、図２（ｂ）は遠隔操作処理部が生成する親子通信コマンドを示している。
【図３】図３は、本実施の形態における受信装置が遠隔操作される場合にその内部で生成されるコマンドの一例を示す図である。
【図４】図４は、本実施の形態において親機で行われる処理の流れを示すフロー図である。
【図５】図５は、本実施の形態において放送装置で行われる処理の流れを示すフロー図である。
【図６】図６は、本実施の形態において子機で行われる処理の流れを示すフロー図である。
【図７】図７は、遠隔操作の開始から終了までの間に親機及び子機が表示する画面の一例を示す図であり、図７（ａ）〜図７（ｄ）は一連の主な画面を示している。
【図８】図８は、チャンネル変更時に親機で行われる処理の流れを示すフロー図である。
【図９】図９は、チャンネル変更時に子機で行われる処理の流れを示すフロー図である。
【図１０】図１０は、チャンネル変更の開始から終了までの間に親機及び子機が表示する画面の一例を示す図であり、図１０（ａ）〜図１０（ｄ）は一連の主な画面を示している。
【図１１】図１１は、視聴予約時に親機で行われる処理の流れを示すフロー図である。
【図１２】図１２は、視聴予約時に子機で行われる処理の流れを示すフロー図である。
【図１３】図１３は、視聴予約の開始から終了までの間に親機及び子機が表示する画面の一例を示す図であり、図１３（ａ）〜図１３（ｄ）は一連の主な画面を示している。
【符号の説明】
【０１２５】
１  放送装置
２  データ送受信部
３  放送信号送出部
１０、２０、３０、４０、・・・（ｎ×１０）  受信装置（ＳＴＢ）
１１、２１  入力装置
１２、２２  制御部
１３、２３  遠隔操作処理部
１４、２４  データ変調部
１５、２５  データ復調部
１６、２６  メモリ
【図１】
2008067082.tif 000003
【図２】
2008067082.tif 000004
【図３】
2008067082.tif 000005
【図４】
2008067082.tif 000006
【図５】
2008067082.tif 000007
【図６】
2008067082.tif 000008
【図７】
2008067082.tif 000009
【図８】
2008067082.tif 000010
【図９】
2008067082.tif 000011
【図１０】
2008067082.tif 000012
【図１１】
2008067082.tif 000013
【図１２】
2008067082.tif 000014
【図１３】
2008067082.tif 000015